(57)【要約】【課題】載置された原稿の向きが縦向きの場合に、原稿の向きを横向きに再載置することを促す画面を表示することが可能な複合機を提供する。【解決手段】載置台１０５に載置された原稿を一枚ずつ搬送し、原稿の画像を読み取る自動原稿給送装置１０４を備えた複合機１００において、原稿を搬送する前に、載置された原稿の向きが、読取部１１０の主走査方向に対して原稿の短辺側が平行となる向きである縦向きであるか、原稿の長辺側が平行となる向きである横向きであるかを検知する原稿向き検知手段６０１と、原稿の向きが縦向きである場合に、ユーザに原稿の向きを横向きに再載置することを促す画面である再載置催促画面を表示する原稿向き表示手段６０３とを備えることを特徴とする複合機１００を提供する。【選択図】図６
2010013251.tif 000002
【特許請求の範囲】
【請求項１】
載置台に載置された原稿を一枚ずつ搬送し、原稿の画像を読み取る自動原稿給送装置を備えた画像形成装置において、
原稿を搬送する前に、載置された原稿の向きが、読取部の主走査方向に対して原稿の短辺側が平行となる向きである縦向きであるか、原稿の長辺側が平行となる向きである横向きであるかを検知する原稿向き検知手段と、
原稿の向きが縦向きである場合に、ユーザに原稿の向きを横向きに再載置することを促す画面である再載置催促画面を表示する原稿向き表示手段と
を備えることを特徴とする画像形成装置。
【請求項２】
載置台に載置された原稿を一枚ずつ搬送し、原稿の画像を読み取る自動原稿給送装置を備えた画像形成装置において、
原稿を搬送する前に、載置された原稿の向きが、読取部の主走査方向に対して原稿の短辺側が平行となる向きである縦向きであるか、原稿の長辺側が平行となる向きである横向きであるかを検知する原稿向き検知手段と、
上記載置された原稿の枚数を検知する原稿枚数検知手段と、
原稿の向きが縦向きで、原稿の枚数が所定の枚数よりも多い場合に、ユーザに原稿の向きを横向きに再載置することを促す画面である再載置催促画面を表示する原稿向き表示手段と
を備えることを特徴とする画像形成装置。
【請求項３】
さらに、原稿を搬送する前に、載置台に載置された原稿のサイズを検知する原稿サイズ検知手段を備え、
上記原稿向き表示手段が、原稿の向きが縦向きで、原稿の枚数が原稿のサイズに応じた所定の枚数よりも多い場合に、再載置催促画面を表示することを特徴とする請求項２に記載の画像形成装置。
【請求項４】
さらに、上記原稿向き表示手段による再載置催促画面の表示に代えて、または、再載置催促画面の表示とともに、ユーザに原稿の向きを横向きに再載置することを促す音を発生する原稿向き音発生手段を備えることを特徴とする請求項１または２に記載の画像形成装置。
【発明の詳細な説明】
【技術分野】
【０００１】
本発明は、画像形成装置に関し、詳しくは、載置された原稿の向きが縦向きの場合に、原稿の向きを横向きに再載置することを促す画面を表示することが可能な画像形成装置に関する。
【背景技術】
【０００２】
近年、画像形成装置は、提供可能な機能を複数備えるようになっており、多機能化を迎えている。その機能は、コピー機能に加えて、ファクシミリ送受信機能、スキャン機能、プリント機能、ステープル機能やパンチ機能に代表される後処理機能、省電力機能等であり、種類も様々である。さらに、上記機能の多様化とともに、機能提供に供される原稿を自動的に順次給送可能な自動原稿給送装置（ＡＤＦ）も搭載されるようになってきている。
【０００３】
ユーザが上記自動原稿給送装置を利用して原稿の画像を画像形成装置に読み取らせる場合、ユーザは自動原稿給送装置に備えられた載置台（原稿トレイ、原稿載置トレイともいう）に原稿を載置させ、スタートボタンを押下すると、自動原稿給送装置に備えられたピックアップローラ等が回転し、載置された原稿を一枚ずつ搬送して、画像を読み取る読取部が原稿の画像を読み取る。画像を読み取られた原稿は、排紙台に排紙される。
【０００４】
ところで、載置させる原稿の向きが、縦向き（読取部の主走査方向に対して原稿の短辺側が平行となる向き）である場合、横向き（読取部の主走査方向に対して原稿の長辺側が平行となる向き）である場合と比較すると、原稿の画像読取開始から画像出力（画像形成）終了までの一連の処理時間は長くなる。これは、縦向きに載置された原稿の画像を読み取る場合、読取部の副走査方向（主走査方向と直交する方向、原稿搬送方向と平行する方向）における読取長さが長くなることや、画像データに対応する潜像（静電潜像）を感光ドラムに形成する場合、感光ドラムの回転方向における潜像の辺の長さが長くなることに起因している。
【０００５】
原稿の枚数が少ない場合は、原稿の向きの違いによって処理時間はそれほど影響を受けないものの、原稿枚数が多くなると、原稿の向きの違いに応じて処理時間の格差が大きくなるという問題がある。しかしながら、原稿枚数が何十枚（例えば１０枚以上）に及ぶ場合でも、ユーザは特に原稿の向きを意識せずにコピー動作を開始しているという実態がある。そうすると、後続に控えた、コピー作業を希望するユーザの待ち時間が長くなる等、日常の業務に支障を来たすという問題があった。
【０００６】
上記問題を解決するために、特開平９−３１２７３５号公報（特許文献１）には、画像形成すべき処理枚数を認識する枚数認識手段と、画像読取手段によって読み取られた原稿画像を９０度回転し得る画像回転手段と、画像読取手段の主走査方向に対して上記原稿の短辺側が平行にセットされた場合、上記画像形成手段での画像形成に先立って上記枚数認識手段により認識された処理枚数と所定の基準枚数とを比較し、上記処理枚数が上記基準枚数よりも多いときに上記画像回転手段にて上記原稿画像を９０度回転させる画像回転制御手段とを備えたことを特徴とする画像形成装置が開示されている。
【０００７】
上記構成により、処理時間が長いとされる縦向きに原稿がセットされた場合であっても、自動的に用紙搬送方向に対して用紙の短辺側が平行となる横向きの用紙を用いた画像形成処理を実行させ、原稿が縦・横いずれの向きでセットされていても、処理時間の短い画像形成条件が自動的に選択されるようになるため、ユーザとしては、いちいち原稿の向きを意識してセットしなくても、迅速かつ効率的にコピー作業を行うことが可能となるとしている。
【０００８】
また、特開平７−１７７２９２号公報（特許文献２）には、経路記憶部と原稿サイズ検出手段と用紙サイズ検出手段と給紙検出手段と給紙選択手段を有し、経路記憶部は各用紙給紙部から排紙位置までの距離を記憶し、原稿サイズに応じた用紙給紙部を選択する自動用紙選択モ−ドが指定されると、原稿サイズ検出手段は原稿サイズを検出し、用紙サイズ検出手段は検出した原稿サイズとユ−ザから指定された複写倍率とから原稿を複写するのに適した用紙サイズを検出し、給紙検出手段は検出したサイズの用紙が入っている用紙給紙部を全て検出し、給紙選択手段は経路記憶部に記憶した距離と複写枚数を基に検出した用紙給紙部の中から最も給紙時間が短い用紙給紙部を選択することを特徴とするデジタル複写機が開示されている。
【０００９】
上記構成により、原稿サイズに応じた用紙給紙部を選択する自動用紙選択モ−ドが指定されると、原稿サイズと、複写倍率と、用紙給紙部と、各用紙給紙部から排紙位置までの距離と、複写枚数とを基に検出した用紙給紙部の中から最も給紙時間が短い用紙給紙部を選択し、その用紙給紙部から記録用紙を送り出すので、印刷時間を短縮できるとしている。
【００１０】
また、特開平８−６５４４３号公報（特許文献３）には、最大複写サイズの記録紙の１頁分以上の画像情報が記憶可能な画像メモリと、上記画像メモリを用いて、画像情報を９０度回転する画像情報回転手段とを備え、上記自動用紙選択手段は、原稿サイズおよび変倍率によって決定されるサイズの記録紙が、上記複数の給紙段の異なる段に存在し、かつ、記録紙の縦横載置方向が９０度回転された状態でセットされている場合に、複写リピート枚数と所定の基準値との比較に基づいて、画像情報を９０度回転させて原稿の載置方向と異なる載置方向の記録紙を選択するか、原稿の載置方向と一致する載置方向の記録紙を選択するかを決定すると共に、上記画像情報回転手段を制御し、さらに上記所定の基準値は、上記原稿の載置方向と異なる載置方向の記録紙および上記原稿の載置方向と一致する載置方向の記録紙のそれぞれが上記給紙手段の第何段目の給紙段であるかによらず、常に一定の値であることを特徴とするデジタル複写機が開示されている。
【００１１】
上記構成により、少なくとも画像回転を行っても、行わないで複写を実行した場合に対してジョブ終了までにかかる時間が短くなる記録紙が選択され、生産性が向上するとしている。
【特許文献１】特開平９−３１２７３５号公報
【特許文献２】特開平７−１７７２９２号公報
【特許文献３】特開平８−６５４４３号公報
【発明の開示】
【発明が解決しようとする課題】
【００１２】
しかしながら、特許文献１に記載の技術では、画像回転手段が開示されているが、読み取った画像データを回転する回転処理は、読み取る画像データの解像度や画像形成装置に備えられているＣＰＵの性能等に応じて、回転処理時間が長くなる場合がある。その場合には、上記技術では、効果を奏しないという問題がある。
【００１３】
また、特許文献２に記載の技術では、複数のパラメータに基づいて処理を複写機に行わせる必要があるため、適切に作動するソフトウェア等の開発に手間が掛かるという問題がある。
【００１４】
また、特許文献３に記載の技術でも、画像情報回転手段により、画像データを回転する回転処理が伴うため、特許文献１に記載の技術と同様の問題を抱えることとなる。
【００１５】
さらに、特許文献１乃至３のうち、いずれの技術であっても、出力させる記録紙（シート）に着目した技術であって、載置された原稿に対して何らかのアプローチをユーザに促すものではない。原稿の向きをユーザ自身が変更すれば、処理時間の短縮化を図ることができるにも関わらず、ユーザに積極的に原稿の向きを変更させることがないため、原稿の向きによって生じる処理時間が長くなる問題を根本的に解決することができないという問題がある。
【００１６】
また、ユーザが自動原稿給送装置を利用する場合、原稿の向きと処理時間との関係を知らないユーザが多く、普段何気なく原稿を載置台に載置していることが多い。そのため、例えば、載置台に備えられた原稿の端部を規制する規制板が、原稿の向きを縦向きに対応して一度設定されると、後続のユーザが従前の原稿の向きである縦向きに自己の原稿の向きを揃えるという実態がある。その状態が一端発生すると、規制板の位置が変更されない限り、後続のユーザはそのまま原稿を縦向きにして作業を続行する傾向があり、処理時間が長くなる原稿の向きで終始画像形成処理等が進行するという問題がある。
【００１７】
そこで、本発明は、上記問題を解決するためになされたものであり、載置された原稿の向きが縦向きの場合に、原稿の向きを横向きに再載置することを促す画面を表示することが可能な画像形成装置を提供することを目的とする。
【課題を解決するための手段】
【００１８】
上述した課題を解決し、目的を達成するために、本発明に係る画像形成装置は、載置台に載置された原稿を一枚ずつ搬送し、原稿の画像を読み取る自動原稿給送装置を備えた画像形成装置において、原稿を搬送する前に、載置された原稿の向きが、読取部の主走査方向に対して原稿の短辺側が平行となる向きである縦向きであるか、原稿の長辺側が平行となる向きである横向きであるかを検知する原稿向き検知手段と、原稿の向きが縦向きである場合に、ユーザに原稿の向きを横向きに再載置することを促す画面である再載置催促画面を表示する原稿向き表示手段とを備える。
【００１９】
読取部による画像読取方法は、読取部に備えられた撮像素子、イメージセンサに応じて多少異なるが、どのような画像読取方法を採用しても構わない。例えば、イメージセンサは、ＣＣＤ（Ｃｈａｒｇｅ  Ｃｏｕｐｌｅｄ  Ｄｅｖｉｃｅ）、ＣＭＯＳセンサ（ＣＭＯＳ  ｓｅｎｓｏｒ）、ＣＩＳ（Ｃｏｎｔａｃｔ Ｉｍａｇｅ Ｓｅｎｓｏｒ）等を挙げることが出来るが、どのイメージセンサを採用しても構わない。
【００２０】
原稿の向きを検知する方法は、例えば、原稿の向きに対応して原稿の存在を検知する原稿存在検知センサ（接触センサ、光学センサ）を用い、その原稿存在検知センサのＯＮ信号／ＯＦＦ信号の組み合わせから原稿の向きを検知する方法が挙げられる。
【００２１】
再載置催促画面を表示する場所は、例えば、画像形成装置の操作部に備えられたタッチパネルが挙げられるが、他の方法として、画像形成装置に接続されたパーソナルコンピュータの液晶ディスプレイ等に表示しても構わない。
【００２２】
また、原稿を搬送する前に、載置された原稿の向きが、縦向きであるか、横向きであるかを検知する原稿向き検知手段と、上記載置された原稿の枚数を検知する原稿枚数検知手段と、原稿の向きが縦向きで、原稿の枚数が所定の枚数よりも多い場合に、ユーザに再載置催促画面を表示する原稿向き表示手段とを備えるよう構成することができる。
【００２３】
原稿の枚数を検知する方法は、例えば、載置台に設けられたリフト板の上昇幅、リフト板を上昇する際に要したモータの回転量、載置台上の原稿に光を照射し、その反射光の強度、透過光の強度等に基づいて原稿の枚数を検知する方法が挙げられる。
【００２４】
所定の枚数は、原稿の画像読取から画像出力までに要する処理時間と、読み込ませる原稿の枚数とに基づいて決定される値であり、その決定方法は、例えば、所定の枚数を越えた枚数の原稿を読み取らせた場合、ユーザ（製造者）がその処理時間を長く感じるか否か、その処理時間で業務に支障を来たすか否か等によって決定される。
【００２５】
さらに、原稿を搬送する前に、載置台に載置された原稿のサイズを検知する原稿サイズ検知手段を備え、上記原稿向き表示手段が、原稿の向きが縦向きで、原稿の枚数が原稿のサイズに応じた所定の枚数よりも多い場合に、再載置催促画面を表示するよう構成することができる。
【００２６】
原稿のサイズを検知する方法は、原稿の向きを検知する方法と同様で、例えば、原稿のサイズに対応して原稿の存在を検知する原稿存在検知センサを用い、その原稿存在検知センサのＯＮ信号／ＯＦＦ信号の組み合わせから原稿のサイズを検知する方法が挙げられる。原稿のサイズは、規定サイズ（国内サイズ）でも海外サイズでも構わない。
【００２７】
原稿のサイズに応じた所定の枚数とは、処理時間と、読み込ませる原稿のサイズと、原稿の枚数とに基づいて決定される値であり、その決定方法は、上述したように、例えば、ユーザがその処理時間を長く感じるか否か、業務に支障を来たすか否か等で決定されるが、さらに、原稿のサイズに対応する用紙の長辺、短辺の長さを原稿のサイズ相互で比較して決定される場合もある。
【００２８】
さらに、上記原稿向き表示手段による再載置催促画面の表示に代えて、または、再載置催促画面の表示とともに、ユーザに原稿の向きを横向きに再載置することを促す音を発生する原稿向き音発生手段を備えるよう構成することができる。
【００２９】
ユーザに原稿の向きを横向きに再載置することを促す音は、例えば、ユーザが予め録音した音声メッセージや所定の警告を意味する警告音、メロディー、音楽等が該当する。音を発生する手段は、例えば、音声を発生するスピーカ等が採用される。
【発明の効果】
【００３０】
本発明の画像形成装置によれば、原稿を搬送する前に、載置された原稿の向きが、縦向きであるか、横向きであるかを検知する原稿向き検知手段と、原稿の向きが縦向きである場合に、再載置催促画面を表示する原稿向き表示手段とを備えるよう構成している。
【００３１】
これにより、原稿の向きが、画像読取から画像出力までに要する処理時間に影響することを知らないユーザに、載置させた原稿の向きを考慮させ、原稿の向きを横向きに再載置させるよう促すことが可能となる。そのため、ユーザに普段は何気なく載置させている原稿の向きを意識させ、一度設定された規制板に影響されることなく、ユーザに処理時間を短縮する横向きに原稿を載置させることが可能となる。その結果、画像形成装置が迅速に機能提供を行うことが可能となるとともに、原稿の向きを変更するという煩わしい作業をユーザに強要するものの、処理時間の長期化の根本的な問題解決を図れ、読み取った画像データを回転する回転処理や出力させるシートのカセットを検索する検索処理等を行う必要がないため、所定のソフトウェアを作成する手間を解消することができる。
【００３２】
また、原稿を搬送する前に、載置された原稿の向きが、縦向きであるか、横向きであるかを検知する原稿向き検知手段と、上記載置された原稿の枚数を検知する原稿枚数検知手段と、原稿の向きが縦向きで、原稿の枚数が所定の枚数よりも多い場合に、ユーザに再載置催促画面を表示する原稿向き表示手段とを備えるよう構成することができる。
【００３３】
これにより、原稿の向きが縦向きの場合、載置させた原稿の枚数が最も影響を及ぼす所定の枚数を超過した場合に、再載置催促画面を表示することとなる。そのため、再載置催促画面を効果的に表示させ、画像読取から画像出力までに要する処理時間の短縮化を図ることが可能となるとともに、原稿の枚数が少ない場合は、再載置催促画面の表示を省略するため、ユーザに原稿の向きを変更するという煩わしい作業を強要せずに、ユーザに円滑に条件の入力等を行わせることが可能となる。その結果、再載置催促画面を適切に表示させることが可能となる。
【００３４】
さらに、原稿を搬送する前に、載置台に載置された原稿のサイズを検知する原稿サイズ検知手段を備え、上記原稿向き表示手段が、原稿の向きが縦向きで、原稿の枚数が原稿のサイズに応じた所定の枚数よりも多い場合に、再載置催促画面を表示するよう構成している。
【００３５】
これにより、原稿のサイズと原稿の枚数に応じて処理時間の長短が異なる実態に、画像形成装置を機動的に対応させ、再載置催促画面を適切な場面で表示させることが可能となる。そのため、載置させる原稿のサイズが異なっていても、再載置催促画面を効果的に表示させることが可能となるとともに、原稿の枚数が少ない場合は、再載置催促画面の表示を省略し、ユーザに業務遂行を円滑に行わせることが可能となる。
【００３６】
さらに、上記原稿向き表示手段による再載置催促画面の表示に代えて、または、再載置催促画面の表示とともに、ユーザに原稿の向きを横向きに再載置することを促す音を発生する原稿向き音発生手段を備えるよう構成することができる。
【００３７】
これにより、再載置の必要性をユーザに聴覚的に知らせることが可能となる。そのため、表示された再載置催促画面に気がつかないユーザであっても、音によって確実に再載置の必要性を認識することが可能となり、ユーザに適切に横向きの再載置を促すこととなる。その結果、再載置より、画像形成装置が迅速に機能提供を行うことが可能となる。
【発明を実施するための最良の形態】
【００３８】
以下に、本発明をその実施の形態を示す図面に基づいて説明する。
【００３９】
＜画像形成装置＞
以下に、本発明の実施形態に係る画像形成装置は、プリンタ、コピー、スキャナ、ファックス等を備えた複合機、デジタル複写機、プリンタ等が該当し、コピーサービス、スキャナサービス、ファクシミリサービス、プリンタサービス等を備えた画像形成装置として機能する。
【００４０】
図１は、複合機の概略模式図である。ただし、本発明に直接には関係しない各部の詳細は省略している。なお、一例として複合機を利用して原稿のコピーを行う際の画像形成装置の動作を簡単に説明する。
【００４１】
ユーザが複合機１００を利用して例えば原稿の印刷を行う場合、原稿を図１に示す原稿台１０３、或いは載置台１０５に配置し、原稿台１０３近傍に供えられた操作部２００に対して印刷の指示を行う。当該指示があると、以下に示す各部（駆動部）が動作することで、印刷が行われる。
【００４２】
即ち、図１に示すように、本実施の形態の複合機１００は、本体１０１と、本体１０１の上方に取り付けられたプラテンカバー１０２を備える。本体１０１の上面は原稿台１０３が設けられており、原稿台１０３は、プラテンカバー１０２によって開閉されるようになっている。プラテンカバー１０２は、自動原稿給紙装置１０４と載置台１０５と排紙台１０９が設けられている。
【００４３】
自動原稿給送装置１０４の載置台１０５には、図２Ａに示すように、平面視で載置台の上端近傍に固定された、原稿の端部を規制する第一の規制板２１０と、第一の規制板２１０に対向する位置である載置台１０５の下端近傍に上下動可能に備えられた第二の規制板２１１とが備えられている。第二の規制板２１１は、原稿の搬送する方向である搬送方向（以下、Ｆ方向とする）に対して直交する方向に可動するため、原稿が複数枚に渡る場合は、原稿の束を上記規制板２１０、２１１によって整えることが可能である。
【００４４】
載置台１０５には、さらに、原稿の存在の有無（原稿の接触）を検知する原稿存在検知センサ２１２ａ〜ｇが所定数備えられている。所定数の原稿存在検知センサ２１２ａ〜ｇは、載置された原稿のサイズと向きに応じてその原稿の隅を検知可能となるよう配置される。配置方法は、例えば、以下のように配置される。
【００４５】
図２Ａに示すように、第一の規制板２１０の下方左側近傍に第一の原稿存在検知センサ２１２ａが設けられており、第一の規制板２１０に端部を規制させた原稿が載置台１０５に載置されると、その原稿の隅を確実に検知する。第一の原稿存在検知センサ２１２ａが原稿の存在に対応する信号（ＯＮ信号）を発信する場合、原稿が載置台２１２ａに載置されたとみなされる。
【００４６】
他の原稿存在検知センサ２１２ｂ〜ｇは、様々な原稿のサイズと向きに応じて配置される。例えば、所定の定形サイズ（規定サイズともいう）の原稿が載置台１０５上に載置された場合、その原稿の一隅は、第一の原稿存在検知センサ２１２ａに検知されることになるが、その原稿の一隅に対向し、かつ原稿の対角線上に位置する他方の一隅が検知されるように、他の原稿存在検知センサ２１２ｂ〜ｇが配置される。
【００４７】
例えば、定形サイズであるＡ５サイズの原稿を、複合機１００に備えられた読取部１１０（後述する）の主走査方向に対して原稿の短辺側が平行となる向きである縦向きに載置させた場合、第一の原稿存在検知センサ２１２ａと、Ａ５縦向きに載置させた原稿の一隅に接触するＡ５縦の原稿存在検知センサ２１２ｃがＯＮ信号を発信し、他の原稿存在検知センサ２１２ｂ、２１２ｄ〜ｇはＯＮ信号を発信することはない。原稿存在検知センサ２１２ａ〜ｇのＯＮ信号の組み合わせに基づいて、原稿の向きを検知することが可能となり、併せて原稿のサイズを検知することも可能となる（後述する）。
【００４８】
また、例えば、定形サイズであるＡ４サイズの原稿を、読取部１１０の主走査方向に対して原稿の長辺側が平行となる向きである横向きに載置させた場合、第一の原稿存在検知センサ２１２ａとＡ４横の原稿存在検知センサ２１２ｄ以外に、Ａ４サイズよりも小さいサイズであるＡ５横の原稿存在検知センサ２１２ｂ、Ａ５縦の原稿存在検知センサ２１２ｃも不可避的に接触するが、この場合は、第一の原稿存在検知センサ２１２ａ、Ａ４横の原稿存在検知センサ２１２ｄ、Ａ５横の原稿存在検知センサ２１２ｂ、Ａ５縦の原稿存在検知センサ２１２ｃのＯＮ信号に基づいて、原稿の向きとサイズとが検知される。
【００４９】
次に、自動原稿給紙装置１０４は、プラテンカバー１０２の内部に形成された原稿搬送路１０８と、プラテンカバー１０２の内部に備えられたピックアップローラ１０６や搬送ローラ１０７Ａ、１０７Ｂ等で構成される。原稿搬送路１０８は、載置台１０５から、本体１０１に設けられた読取部１１０にて読み取りが行なわれる読取位置Ｐを経由して、排紙台１０９に通じる原稿の搬送路である。
【００５０】
自動原稿給紙装置１０４は、載置台１０５に載置された原稿１枚ずつをピックアップローラ１０６で原稿搬送路内１０８に引き出し、搬送ローラ１０７Ａ、１０７Ｂ等によって引き出した原稿を、読取位置Ｐを通過させて排紙台１０９に排紙する。読取位置Ｐを通過する時に原稿は読取部１１０にて読み取られる。
【００５１】
図Ｂ１に示すように、原稿を原稿搬送路内１０８に引き込む引込口２１３の近傍には、載置台１０５の搬送方向（Ｆ方向）前方に、リフト板２１４と、上限センサ２１５と、下限センサ２１６と、コロ２１７と、ピックアップローラ１０６とが備えられている。
【００５２】
リフト板２１４は、原稿が載置可能な板状部材であり、リフト板２１４の側面に備えられたリフト板駆動部２１８により原稿の積載方向に上下動可能である。上限センサ２１５は、リフト板２１４の上昇を所定位置で止めるためのセンサであり、光センサで構成されている。上限センサ２１５は、リフト板２１４が上昇してリフト板２１４上の原稿の先端部がコロ２１７を押し上げると、そのことが光学的に検知されて停止するようになっている（図Ｂ２）。下限センサ２１６は、リフト板２１４が最下方位置（ホームポジション）まで下降したことを検知するためのセンサである。
【００５３】
コロ２１７は、ホームポジションに配置されたリフト板２１４に対し上方に間隔をあけて配置されるとともに、自由状態では自重により下方位置に位置するが、リフト板２１４により下方から力を受けるのに追従して上方に可動に構成されている。
【００５４】
リフト板駆動部２１８は、リフト板２１４を上下動させるためのものであり、ステッピングモータ２１９、ラックアンドピニオン機構（以下、棒体２２０、歯材、歯車材２２１等）等で構成されている。リフト板２１４の一側面には、棒体２２０が原稿の積載方向に沿って連結され、その棒体２２０の側面には歯車の歯材（図示せず）が設けられ、歯材と噛合可能でかつ正逆回転自在な歯車材２２１を備えたステッピングモータ２１９が設けられる。
【００５５】
原稿がリフト板２１４に載置されると、ステッピングモータ２１９が歯車材２２１を正回転させ、歯車材２２１と噛合する歯材を備えた棒体２２０が積載方向に上昇させ、さらにその棒体２２０に連結されたリフト材２１４を上昇させる。なお、例えば、リフト板２１４から原稿が取り除かれた際に、ステッピングモータ２１９がリフト材２１４を積載方向に対して下方に下降させてホームポジションに移動させる場合は、ステッピングモータ２１９が歯車材２２１を逆回転させることとなる。
【００５６】
次に、読取部１１０は、原稿台１０３及び自動原稿給送装置１０４の下方に設けられており、図３にその詳細が示されている。読取部１１０は、原稿台１０３を照射する主走査方向に長い光源１１１と、原稿台からの光を選択的に通過させるスリット１１６と、原稿台からの光を導くミラー１１２とを備える第一の移動キャリッジ１１７や、第一の移動キャリッジ１１７からの反射光を再度反射するミラー１１３Ａ、１１３Ｂを備える第二の移動キャリッジ１１８、さらにミラーで導かれた光を光学的に補正するレンズ群１１９、当該レンズ群１１９より補正された光を受光する撮像素子１１５、撮像素子にて受光した光を電気信号に変換し、必要に応じて補正・修正などを行う画像データ生成部１１４とで構成されている。
【００５７】
自動原稿給紙装置１０４上の原稿を読み取る場合には、光源１１１は、読取位置Ｐを照射できる位置に移動して発光する。光源１１１からの光は、原稿台１０３を透過して読取位置Ｐを通過する原稿にて反射し、スリット１１６、ミラー１１２、１１３Ａ、１１３Ｂ、レンズ群１１９によって撮像素子１１５に導かれる。撮像素子１１５は、受光した光を電気信号に変換して画像データ生成部１１４に送信する。画像データ生成部１１４には、上記撮像素子１１５にて受光された光がＲ（レッド）、Ｇ（グリーン）、Ｂ（ブルー）のアナログ電気信号として入力され、ここでアナログ−デジタル変換され、即ちデジタル化される。さらに、画像データ生成部１１４では、順次変換されたデジタル信号を単位データとし、これら単位データを補正、修正等することで複数の単位データからなる画像データを生成する。
【００５８】
また、読取部１１０は、自動原稿給紙装置１０４で搬送される原稿だけでなく、原稿台１０３に載置された原稿も読み取ることが可能となっている。原稿台１０３に載置された原稿を読み取る場合は、第一のキャリッジ１１２は、光源１１１を発光しながら副走査方向に移動し、光源１１１から撮像素子１１５までの光路長を一定にするために、第二の移動キャリッジ１１８は第一の移動キャリッジ１１７の１／２の速度で撮像素子１１５方向に移動する。
【００５９】
撮像素子１１５は、自動原稿給紙装置１０４に搬送された原稿のときと同様に、ミラー１１２、１１３Ａ、１１３Ｂに導かれた光に基づいて原稿台１０３に載置された原稿からの光を電気信号に変換し、これに基づいて画像データ生成部１１４が画像データを生成する。
【００６０】
本体１０１の読取部１１０の下方には、画像データを印刷する印刷部１２０を備えている。印刷部１２０が印刷できる画像データは、上記のように画像データ生成部１１４にて生成されたものや、複合機１００に接続された通信ケーブル２０１を介して、ネットワーク２０２から画像形成の指示とともに送信される場合もある。
【００６１】
印刷部１２０が行う印刷方式には、電子写真方式が用いられている。即ち、感光ドラム１２１を帯電器１２２で一様に帯電させ、その後レーザ１２３で感光ドラム１２１を照射して感光ドラム１２１に潜像を形成し、現像器１２４で潜像にトナーを付着させて可視像を形成し、転写ローラにて可視像を用紙に転写する方式である。
【００６２】
なお、フルカラー画像に対応した画像形成装置では、上記現像器（ロータリー現像器）１２４が、図１の紙面に対して垂直方向に構成される回転軸を中心として周方向に回転させられ、対応する色のトナーが格納された現像ユニットが感光ドラム１２１の対向位置に配置される。この状態で、感光ドラム１２１上の潜像が、現像器１２４が格納するトナーにより現像され、中間転写ベルト１２５Ａに転写される。なお、現像器１２４は、イエロー（Ｙ）、シアン(Ｃ)、マゼンタ(Ｍ)、ブラック(Ｋ)の各トナーをそれぞれ格納する４つの現像ユニット１２４（Ｙ）、(Ｃ)、(Ｍ)、(Ｋ)を有している。上記中間転写ベルト１２５Ａへの転写を上記各色毎に繰り返すことにより、当該中間転写ベルト１２５Ａ上にフルカラー画像が形成される。
【００６３】
可視像が印刷される用紙は、手差しトレイ１３１、給紙カセット１３２、１３３、１３４などの給紙トレイに載置されたものである。
【００６４】
印刷部１２０が印刷を行う際には、何れか１つの給紙トレイから用紙１枚を、ピックアップローラ１３５を用いて引き出し、引き出した用紙を搬送ローラ１３７やレジストローラ１３８で中間転写ベルト１２５Ａと転写ローラ１２５Ｂの間に送り込む。用紙を引き出す場合、手差しトレイ１３１に載置された用紙を、手差しトレイ用ピックアップローラ１３６を用いて引き出しても構わない。
【００６５】
印刷部１２０は、中間転写ベルト１２５Ａと転写ローラ１２５Ｂの間に送り込んだ用紙に、上記中間転写ベルト１２５Ａ上の可視像を転写すると、可視像を定着させるために、搬送ベルト１２６で定着装置１２７に用紙を送る。定着装置１２７は、ヒータが内蔵された加熱ローラ１２８と、所定の圧力で加熱ローラ１２８に押し当てられた加圧ローラ１２９とで構成されている。加熱ローラ１２８と加圧ローラ１２９の間を用紙が通過すると、熱と用紙への押圧力によって可視像が用紙に定着する。印刷部１２０は、定着装置１２７を通過した用紙を排紙トレイ１３０に排紙する。
【００６６】
以上が、複合機１００における基本的なコピーサービスの処理である。なお、複合機１００は、上述した各部（自動原稿給送装置１０４、読取部１１０、印刷部１２０）を適宜協働的に動作することによって、他の機能、例えば、ファクシミリ送受信機能、プリント機能、スキャン機能、後処理機能、メモリ機能等をユーザに提供する。
【００６７】
なお、複数の原稿存在検知センサのＯＮ信号に基づいて、原稿の向き（原稿のサイズ）を検知する手段を、原稿向き検知手段（原稿サイズ検知手段）とし、リフト板駆動部を制御する手段をリフト移動手段とし、ユーザが操作部２００に対して行った印刷等の指示（命令、要求）を受け付ける手段を条件受付手段とし、読取部１００にて原稿の画像を読み取る手段を画像読取手段とし、受け付けた指示と読み取った画像データに基づいて、上記機能を提供する手段を総じて機能提供手段とする（後述する）。
【００６８】
図４は、複合機１００に備えられた操作部２００の外観の一例を示す図である。ユーザは、上記操作部２００を用いて、上述のような機能提供についての設定条件等を入力したり、書き込み情報を書き込んだり、所定の送信先へ書き込み情報を送信したりする。設定条件の入力、各サービスの実行開始等が行なわれる際に、上記操作部２００に備えられたタッチパネル４０１、タッチペン４０２、操作キー４０３が用いられる。
【００６９】
上記タッチパネル４０１には、上述した条件を入力する機能と、入力された設定条件等を表示する機能とが兼ね備えられている。すなわち、タッチパネル４０１上に表示された画面内の選択項目等を押下することによって、選択項目等に関連付けられた設定条件の入力が行われ、所定のキーボード画面のキーまたは送信先を押下することによって、機能に関連する指示の入力等が行なわれる。また、押下された選択項目や入力された指示等は、タッチパネル４０１上で、例えば、背景色を白色からグレー色へ変更する表示をすることにより、ユーザが随時視認可能である。
【００７０】
タッチパネル４０１の近傍には、タッチペン４０２が備えられており、ユーザがそのタッチペン４０２の先をタッチパネル４０１に接触させると、タッチパネル４０１下方に設けられたセンサが接触先を検知する。そのため、タッチペン４０２の接触により、キーボード画面のキーの押下や所定の手書き情報の入力が可能である。タッチペン４０２は備えられていなくても構わない。
【００７１】
さらに、タッチパネル４０１近傍には、所定数の操作キー４０３が設けられ、例えば、テンキー４０４、スタートキー４０５、クリアキー４０６、ストップキー４０７、リセットキー４０８、電源キー４０９が備えられている。なお、上記テンキー４０４は、部数や倍率を設定する際に具体的な数字の入力に用いられる。
【００７２】
次に、図５を用いて、複合機１００の制御系ハードウェアの構成を説明する。図４は、複合機１００における制御系ハードウェアの概略構成図である。ただし、本発明に直接には関係しない各部の詳細は省略している。
【００７３】
複合機１００の制御回路は、ＣＰＵ（Ｃｅｎｔｒａｌ  Ｐｒｏｃｅｓｓｉｎｇ  Ｕｎｉｔ）５０１、ＲＯＭ（Ｒｅａｄ  Ｏｎｌｙ  Ｍｅｍｏｒｙ）５０２、ＲＡＭ（Ｒａｎｄｏｍ  Ａｃｃｅｓｓ  Ｍｅｍｏｒｙ）５０３、ＨＤＤ（Ｈａｒｄ  Ｄｉｓｋ  Ｄｒｉｖｅ）５０４、各駆動部に対応するドライバ５０５を内部バス５０６によって接続している。上記ＣＰＵ５０１は、例えば、ＲＡＭ５０３を作業領域として利用し、上記ＲＯＭ５０２、ＨＤＤ５０４等に記憶されているプログラムを実行し、当該実行結果に基づいて上記ドライバ５０５と図示しない操作部２００からのデータ、指示を授受し、さらに、原稿向き検知センサ、上限センサ、下限センサ等から発信される信号を授受し、上記図１乃至図４に示した各駆動部等の動作を制御する。また、上記駆動部以外についても、上記ＣＰＵ５０１がプログラムを実行することで当該各手段を実現する。上記ＲＯＭ５０２、ＨＤＤ５０４等には、以下に説明する各手段を実現するプログラムやデータが記憶されている。
【００７４】
＜第一の実施形態＞
次に図６乃至図７を参照しながら、第一の実施形態の画像形成装置が、載置された原稿の向きが縦向きの場合に、原稿の向きを横向きに再載置することを促す画面を表示する手順について説明する。図６は、第一の実施形態に係る複合機の機能ブロック図である。図７は、第一の実施形態の実行手順を示すためのフローチャートである。なお、第一の実施形態に直接には関係しない各部の詳細は省略している。
【００７５】
まず、ユーザはＡ４サイズの原稿を縦向きで載置台１０５上に載置し、原稿の両端を第一の規制板２１０と第二の規制板２１１で規制すると、所定の原稿存在検知センサ（第一の原稿存在検知センサ２１２ａ、Ａ４縦の原稿存在検知センサ２１２ｅ、Ａ５縦の原稿存在検知センサ２１２ｃ、Ａ５横の原稿存在検知センサ２１２ｂ）が、載置された原稿を検知し、ＯＮ信号を原稿向き検知手段６０１に発信する（図７：Ｓ１０１）。なお、この時点では、ユーザは、未だ条件入力等を開始していない。
【００７６】
原稿向き検知手段６０１は、上記ＯＮ信号を受信すると、原稿向き記憶手段６０２に記憶されている原稿向きテーブルを参照して、原稿の向きを検知する（図７：Ｓ１０２）。
【００７７】
原稿向きテーブル８００には、図８Ｃに示すように、各原稿存在検知センサ２１２ａ〜ｇがＯＮ信号を発信しているか否かの情報８０１（例えば、ＯＮ信号を発信している原稿存在検知センサには「○」８０２、ＯＮ信号を発信していない原稿存在検知センサには「×」８０３等）と、その情報に基づいて決定される原稿サイズ８０４（例えば、「Ａ３」、「Ａ４」、原稿が載置されていない状態には「−」等）と、原稿の向き８０５（「縦向き」、「横向き」、「−」）とが関連付けて記憶されている。原稿向き検知手段６０１は、受信したＯＮ信号の組み合わせに対応する原稿の向き８０５を取得することにより、載置されている原稿の向きを検知することが可能となる。なお、第一の実施形態では、原稿の向きに着目しているため、原稿サイズ８０４を併せて検知しても、原稿サイズ８０４を省略しても構わない。
【００７８】
原稿向き検知手段が、第一の原稿存在検知センサ２１２ａとＡ４縦の原稿存在検知センサ２１２ｅとＡ５縦の原稿存在検知センサ２１２ｃとＡ５横の原稿存在検知センサ２１２ｂのＯＮ信号に対応する「○」８０６に基づいて、原稿向きテーブル８００から原稿の向き「縦向き」８０７を検知すると、その「縦向き」８０７を原稿向き表示手段６０３に送信する。原稿向き表示手段６０３は、原稿の向き「縦向き」８０７を受信すると、再載置催促画面記憶手段６０４に記憶されている画面表示テーブルを参照して、原稿の向きに応じて、再載置催促画面を表示するか否かの判別を行う（図７：Ｓ１０３）。
【００７９】
画面表示テーブル８０８には、図８Ｄに示すように、原稿の向き８０９と、再載置催促画面を表示するか否かを示す情報８１０（例えば、再載置催促画面を表示する場合には「有り」８１１、再載置催促画面を表示しない場合には「無し」８１２等）とが関連付けられて記憶されている。上記構成により、原稿向き表示手段６０３は、原稿の向きが縦向きである場合に、再載置催促表示画面を表示することが可能となる。
【００８０】
原稿向き表示手段６０３が、受信した「縦向き」８０７に対応する「有り」８１１を画面表示テーブル８０８から取得すると、タッチパネル４０１上に、載置された原稿の向きを横向きに再載置する旨を示す画面である再載置催促画面を表示する（図７：Ｓ１０３ＹＥＳ→Ｓ１０４、図９Ｅ）。
【００８１】
再載置催促画面は、図９Ｅに示すように、ユーザに現時点載置されている原稿の向きを変更するよう促す旨のメッセージ９０１「原稿の向きを変更してください。」と、原稿の向きを変更する理由９０２を示す「現時点の原稿の向きでは、処理時間が遅くなる可能性があります。」と、「縦向き」で載置台に載置された原稿の状態を模したイメージ画像である縦向き原稿イメージ画像９０３と、「縦向き」を「横向き」に変更することを指示する矢印イメージ画像９０４と、「横向き」で載置台に載置された原稿の状態を模したイメージ画像である横向き原稿イメージ画像９０５と、ユーザが原稿の向きを変更した後に押下する確認ボタンである「ＯＫ」ボタン９０６とが表示される。
【００８２】
ユーザは、再載置催促画面を見ながら、原稿の向きを縦向きから横向きに変更して再度原稿を載置台に載置させる。さらに、ユーザは、再載置催促画面に表示された「ＯＫ」ボタン９０６を押下すると、原稿向き表示手段６０３は、再載置催促画面を消去して、条件受付手段６０５に初期画面（ここでは、図９Ｆに示すコピー設定画面）を表示する旨の信号を送信する。
【００８３】
なお、例えば、「ＯＫ」ボタン９０６が押下されずに、ユーザが原稿の向きを横向きに変更した場合に、原稿向き検知手段６０１が原稿の向きを再検知し、原稿向き表示手段６０３が、載置された原稿の向きが横向きであることを判別すると、自動的に再載置催促画面を消去して、上記信号を条件受付手段６０５に送信するよう構成しても構わない。
【００８４】
また、上記原稿向き表示手段６０３は、ユーザに原稿の向きを横向きに再載置することを促す音を発生する原稿向き音発生手段を兼ねており、原稿向き表示手段６０３が再載置催促画面を表示するとともに、原稿向き音発生手段が、予め所定のメモリに録音された音声メッセージを、複合機に付属の小型スピーカ（図示せず）から発生する。
【００８５】
上記音声メッセージは、例えば、「原稿の向きが縦向きですので、処理時間が遅くなる可能性があります。原稿の向きを横向きに変更してください。」という内容で、さらに、複合機近傍に佇むユーザに聞こえる程度の音量で発生される。場合によっては、繰り返し発生するよう構成しても構わない。
【００８６】
上記音声メッセージが発生中において、例えば、ユーザが再載置催促画面に表示された「ＯＫ」ボタン９０６を押下した場合、あるいは、ユーザが原稿の向きを横向きに変更した場合に、原稿向き検知手段６０１が原稿の向きを再検知し、原稿向き音発生手段（原稿向き表示手段６０３）が、載置された原稿の向きが横向きであることを判別した場合に、当該音声メッセージの発生は停止される。
【００８７】
条件受付手段６０５は、上記信号を受信すると、タッチパネル４０１上に初期画面を表示し、ユーザから所定の条件の入力を受け付ける。
【００８８】
ユーザが初期画面を見ながら、自己の希望する条件を入力し、スタートキーを押下すると、条件受付手段６０５は、原稿画像の読み取りを開始する旨の信号を画像読取手段６０６に送信し、原稿の画像読取を開始させる。なお、ここでは、出力させるシートの向きについては、条件入力が行われないものとする。
【００８９】
画像読取手段６０６が原稿の画像を読み取る場合、原稿の向きが横向きで、すなわち、読取部１１０の主走査方向に対して原稿の長辺側が平行な状態で、原稿の画像が読み取られていくことになる。そのため、読取部１１０が備える光源１１１が光を照射すると、読取部１１０の副走査方向における読取長さは、横向きの方が縦向きと比較すると長くなるため、結果として効率のよい画像読取を行うことが可能となる。
【００９０】
例えば、Ａ４サイズであれば、原稿の長辺が２９７ｍｍであり、短辺が２１０ｍｍであるため、横向きでの読取長さは、縦向きでの読取長さの１．４倍となる。
【００９１】
画像読取手段６０６が読み取った画像データは、機能提供手段６０７に送信され、機能提供手段６０７は、条件受付手段６０５が受け付けた条件に従って機能提供を行う。
【００９２】
出力させるシートの向きがユーザから指定されていない場合は、機能提供手段６０７が、読み取った画像データのサイズと向きとに対応するように、画像データを印刷物として出力する。すなわち、機能提供手段６０７が、シートのサイズをＡ４とし、シートの向きを横向きとして画像データを出力する。
【００９３】
機能提供手段６０７が、画像データを印刷物として出力する場合、印刷部１２０が備える感光ドラム１２１に、画像データに対応する潜像が形成されるが、その潜像も横向きの状態で、すなわち、感光ドラム１２１の軸方向の幅と潜像の長辺側とが平行となる向きの状態で形成されることになる。そのため、上記と同様に、感光ドラム１２１の軸方向における潜像形成長さは、横向きの方が縦向きと比較すると長くなる（１．４倍）ため、効率よく潜像を形成することになる。
【００９４】
さらに、形成された潜像に対応する可視像を転写する場合も、感光ドラム１２１が可視像を横向きのシートに転写することとなるため、上記と同様に、効率のよい転写を行うことになる。その結果、効率のよい画像出力が可能となる。この場合、読み取った画像データを回転処理することも無いため、画像処理に時間が掛かることも無い
上記手順により、載置された原稿の向きが縦向きの場合に、原稿の向きを横向きに再載置することを促す画面を表示することが可能となり、結果として、画像読取から画像出力までに要する一連の処理時間を短縮することが可能となる。
【００９５】
一方、原稿向き検知手段６０１が、原稿の向きを横向きと検知した場合は、以下の手順にて、画像データの出力が行われる。
【００９６】
ユーザがＡ４サイズの原稿を横向きで載置台１０５上に載置させると、原稿向き検知手段６０１が、所定の原稿存在検知センサ（第一の原稿存在検知センサ２１２ａ、Ａ４横の原稿存在検知センサ２１２ｄ、Ａ５縦の原稿存在検知センサ２１２ｃ、Ａ５横の原稿存在検知センサ２１２ｂ）のＯＮ信号を受信し、原稿向きテーブル８００に基づいて、原稿の向き「横向き」６１２を検知する（図７：Ｓ１０１→Ｓ１０２）。
【００９７】
原稿向き検知手段６０１は「横向き」６１２を原稿向き表示手段６０３に送信し、原稿向き表示手段６０３は、画面表示テーブル８０８から「横向き」６１２に対応する「無し」８１２を取得する。原稿向き表示手段６０３が「無し」８１２を取得すると、再載置催促画面を表示する必要はないと判別し、条件受付手段６０５に初期画面を表示する旨の信号を送信する（図７：Ｓ１０３ＮＯ）。
【００９８】
条件受付手段６０５は、タッチパネル４０１上に初期画面を表示し、ユーザからの条件の入力を受け付ける。
【００９９】
後に続く条件受付手段６０５、画像読取手段６０６、機能提供手段６０７の作動手順は、先ほどと同様であるため、省略する。載置された原稿の向きが横向きであるため、画像読取と画像出力は効率よく行われ、結果として、画像読取から画像出力までに要する処理時間を短縮する。
【０１００】
このように、原稿を搬送する前に、載置された原稿の向きが、縦向きであるか、横向きであるかを検知する原稿向き検知手段と、原稿の向きが縦向きである場合に、再載置催促画面を表示する原稿向き表示手段とを備えるよう構成している。
【０１０１】
これにより、原稿の向きが、画像読取から画像出力までに要する処理時間に影響することを知らないユーザに、載置させた原稿の向きを考慮させ、原稿の向きを横向きに再載置させるよう促すことが可能となる。そのため、ユーザに普段は何気なく載置させている原稿の向きを意識させ、一度設定された規制板に影響されることなく、ユーザに処理時間を短縮する横向きに原稿を載置させることが可能となる。その結果、画像形成装置が迅速に機能提供を行うことが可能となるとともに、原稿の向きを変更するという煩わしい作業をユーザに強要するものの、処理時間の長期化の根本的な問題解決を図れ、読み取った画像データを回転する回転処理や出力させるシートのカセットを検索する検索処理等を行う必要がないため、所定のソフトウェアを作成する手間を解消することができる。
【０１０２】
さらに、上記原稿向き表示手段による再載置催促画面の表示とともに、ユーザに原稿の向きを横向きに再載置することを促す音を発生する原稿向き音発生手段を備えるよう構成することができる。
【０１０３】
これにより、再載置の必要性をユーザに聴覚的に知らせることが可能となる。そのため、表示された再載置催促画面に気がつかないユーザであっても、音によって確実に再載置の必要性を認識することが可能となり、ユーザに適切に横向きの再載置を促すこととなる。その結果、再載置より、画像形成装置が迅速に機能提供を行うことが可能となる。
【０１０４】
＜第二の実施形態＞
次に図１０乃至１１を参照しながら、第二の実施形態の画像形成装置が、画像読取から画像出力までの間に生じる処理時間が最短となる原稿の向きをユーザに知らせる手順について説明する。第一の実施の形態と比較して、第二の実施の形態の異なる点は、原稿向き表示手段が、原稿の向きが縦向きで、原稿の枚数が所定の枚数よりも多い場合に、再載置催促画面を表示する点である。さらに、上記所定の枚数は、原稿のサイズに応じて適宜設定されている。その他の点については、第一の実施の形態と同様であるため、第一の実施の形態の説明において用いた図面（図１乃至図９）も適宜参照しながら、第二の実施形態について説明する。
【０１０５】
まず、ユーザはＡ４サイズの原稿を縦向きで１２枚、載置台１０５上に載置すると、所定の原稿存在検知センサ（第一の原稿存在検知センサ２１２ａ、Ａ４縦の原稿存在検知センサ２１２ｅ、Ａ５縦の原稿存在検知センサ２１２ｃ、Ａ５横の原稿存在検知センサ２１２ｂ）が原稿の存在を検知し、ＯＮ信号を原稿向き検知手段６０１に発信する（図１１：Ｓ２０１）。
【０１０６】
原稿向き検知手段６０１は、上記ＯＮ信号と、原稿向き記憶手段６０２に記憶されている原稿向きテーブル８００とに基づいて、原稿の向き「縦向き」８０７を検知する（図８Ｃ、図１１：Ｓ２０２）。また、原稿向き検知手段６０１は、原稿サイズ検知手段を兼ねており、上記ＯＮ信号と、原稿向きテーブル８００とに基づいて、原稿サイズ「Ａ４」８１３を検知する。その後、原稿向き検知手段６０１は、「縦向き」８０７と「Ａ４」８１３を原稿向き表示手段６０３に送信する。
【０１０７】
さらに、リフト移動手段１００１が、原稿の先端部が載置されたリフト板２１４をホームポジションから原稿の積載方向へ上昇させる。上昇したリフト板２１４上の原稿の先端部がコロ２１７を押し上げると、そのことを上限センサ２１５が検知し、リフト移動手段１００１がリフト板２１４を停止する。
【０１０８】
原稿枚数検知手段１００２が、リフト移動手段１００１を監視し、リフト材２１４のホームポジションからリフト材２１４の現時点の位置まで上昇させるために要したモータの回転量（例えば、「５回転」）を検知し、原稿枚数記憶手段１００３に記憶されている原稿枚数テーブルを参照して、原稿枚数の検知を行う（図１１：Ｓ２０３）。
【０１０９】
原稿枚数テーブル１２００には、図１２Ｇに示すように、モータの回転量１２０１と、そのモータの回転量１２０１に対応する原稿の枚数１２０２とが関連付けられて記憶されている。上記構成により、原稿枚数検知手段１００２は、載置台１０５に載置された原稿の枚数を検知することが可能となる。なお、モータの回転量１２０１と原稿枚数１２０２との関係は、モータに備えられた歯車材の大きさ、歯材の大きさ、原稿の紙の種類（モノクロ紙、色紙、ハガキ、封筒、名刺等）、紙質（上質紙、普通紙、再生紙等）、厚み等の特性に応じて異なるため、その特性に対応して、原稿枚数テーブル１２００は、適宜設計変更されるが、通常は、市販（流通）されている普通紙を基準に、原稿枚数テーブル１２００は作成される。また、図１２Ｇに示すように、原稿枚数テーブル１２００は、モータの回転量１２０１の所定の範囲（例えば、「１．６回転から３．０回転」）に対して、一単位の原稿枚数（例えば、「６枚」という単位）を関連付けて記憶するよう構成すると、モータの回転量に応じて厳密な原稿枚数の数値を実験等から算出する必要がないため、余計な手間等が掛からず、好ましい。
【０１１０】
原稿枚数検知手段１００２が、原稿枚数テーブル１１００に基づいて、モータの回転量（「５回転」）が属する回転量の所定の範囲「４．６回転から６．０回転」１２０３を参照し、その「４．６回転から６．０回転」１２０３に対応する原稿枚数「１２枚」１２０４を取得すると、原稿向き表示手段６０３に「１２枚」１２０４を送信する。原稿向き表示手段６０３は、「縦向き」８０７と「Ａ４」８１３と「１２枚」１２０４とを受信すると、再載置催促画面記憶手段６０４に記憶されている枚数−画面表示テーブルを参照して、原稿の向き、原稿サイズ、原稿枚数に応じて、再載置催促画面を表示するか否かの判別を行う（図１１：Ｓ２０４）。
【０１１１】
枚数−画面表示テーブル１２０５には、図１２Ｈに示すように、原稿の向き１２０６と、原稿サイズ１２０７（例えば、「Ａ３」、「Ａ４」、「−」は、再載置催促画面を表示する必要がないことを示し、原稿サイズ等の判別を行わなくてもよいことを示す情報である。）と、原稿枚数の所定の範囲１２０８と、再載置催促画面を表示するか否かを示す情報１２０９（例えば、再載置催促画面を表示する場合には「有り」１２１０、再載置催促画面を表示しない場合には「無し」１２１１等）とが関連付けられて記憶されている。
【０１１２】
上記「有り」１２１０は、原稿枚数の所定の範囲１２０８のうち、所定の枚数以上の所定の範囲に関連付けて記憶され、上記「無し」１２１１は、所定の枚数未満の所定の範囲に関連付けて記憶される。上記所定の枚数は、原稿のサイズに応じて異なる値を有する。
【０１１３】
例えば、原稿サイズが「Ａ４」であれば所定の枚数は「１１枚」となり、「Ａ３」であれば「６枚」となる。これは、Ａ４の長辺は２９７ｍｍ、短辺は２１０ｍｍであり、Ａ３の長辺は４２０ｍｍ、短辺は２９７ｍｍであるから、当然Ａ３の原稿画像の読取面積はＡ４のそれよりも広い。そのため、Ａ３の原稿では、Ａ４の原稿と比較すると、画像を読み取る原稿枚数が少ない場合であっても、再載置催促表示画面を表示するよう構成した方が、その表示による処理時間の短縮化の効果が大きいからである。また、所定の枚数を設定するのは、原稿枚数が少ない場合に再載置催促表示画面を表示すると、ユーザが条件を入力する作業を妨げ、円滑に機能提供に関する作業を進めることができない場合があるためである。
【０１１４】
上記構成により、原稿向き表示手段６０３は、原稿の向きが縦向きで、原稿の枚数が原稿のサイズに応じた所定の枚数よりも多い場合に、再載置催促表示画面を表示することが可能となる。
【０１１５】
原稿向き表示手段６０３が、枚数−画面表示テーブル１２０５を参照すると、「縦向き」８０７には原稿サイズ１２０７、原稿枚数の所定の範囲１２０８等が関連付けて記憶されているため、再載置催促画面を表示する必要があると判別する（図１１：Ｓ２０４ＹＥＳ）。
【０１１６】
さらに、原稿向き表示手段６０３が、「Ａ４」８１３に対応する原稿枚数の所定の範囲１２０８（「１枚〜１０枚」１２１２と「１１枚〜」１２１３）を参照し、数値を比較して、「１２枚」１２０４がどちらの範囲に属するか判別する（図１１：Ｓ２０５）。「１２枚」１２０４は「１１枚〜」１２１３に属するから、原稿向き表示手段６０３が「１２枚」１２０４を所定の枚数「１１枚」以上と判別し、「１１枚〜」１２１３に関連付けられた「有り」１２１４を枚数−画面表示テーブル１２０５から取得する（図１１：Ｓ２０５ＹＥＳ）。
【０１１７】
原稿向き表示手段６０３が「有り」１２１４を取得すると、再載置催促画面を表示する必要があると判別し、タッチパネル４０１上に、再載置催促画面を表示する（図７：Ｓ２０５ＹＥＳ→Ｓ２０６、図９Ｅ）。
【０１１８】
ユーザは、再載置催促画面を見ながら、原稿の向きを縦向きから横向きに変更して再度原稿を載置台１０５に載置させ、再載置催促画面に表示された「ＯＫ」ボタン９０８を押下すると、原稿向き表示手段６０３は再載置催促画面を消去し、条件受付手段６０５はタッチパネル４０１上に初期画面を表示して、ユーザからの条件の入力を受け付ける。
【０１１９】
なお、第一の実施形態と同様に、上記原稿向き表示手段６０３は、原稿向き音発生手段を兼ねており、原稿向き表示手段６０３が再載置催促画面を表示する際には、原稿向き音発生手段が、予め所定のメモリに録音された音声メッセージを、複合機に付属の小型スピーカ（図示せず）から発生することとなる。上記音声メッセージが発生中において、ユーザが再載置催促画面に表示された「ＯＫ」ボタン９０６を押下すると、当該音声メッセージの発生は停止される。
【０１２０】
条件受付手段６０５が条件の入力を受け付けてから、後に続く条件受付手段６０５、画像読取手段６０６、機能提供手段６０７の作動手順は、第一の実施形態と同様であるため、省略する。原稿の向きが「縦向き」８０７で、原稿の枚数が原稿のサイズ「Ａ４」８１３に応じた所定の枚数「１１枚」よりも多い場合に、原稿の向きが縦向きから横向きに変更されたので、画像読取と画像出力は効率よく行われ、結果として、画像読取から画像出力までに要する処理時間を短縮することが可能となる。
【０１２１】
一方、原稿枚数検知手段１００２が、原稿サイズに応じた所定の枚数よりも少ない原稿の枚数を検知した場合は、以下の手順にて、画像データの出力が行われる。
【０１２２】
ユーザがＡ４サイズの原稿を縦向きで５枚、載置台１０５上に載置させると、原稿向き検知手段１００２が、所定の原稿存在検知センサ（第一の原稿存在検知センサ２１２ａ、Ａ４縦の原稿存在検知センサ２１２ｅ、Ａ５縦の原稿存在検知センサ２１２ｃ、Ａ５横の原稿存在検知センサ２１２ｂ）のＯＮ信号と原稿向きテーブル８００に基づいて、原稿の向き「縦向き」８０７と原稿サイズ「Ａ４」８１３とを検知する（図１１：Ｓ２０１→Ｓ２０２）。
【０１２３】
さらに、リフト移動手段１００１がモータを回転させて、原稿をコロ２１７まで上昇させると、原稿枚数検知手段１００２がモータの回転量（例えば、「２回転」）を検知し、原稿枚数テーブル１２００に基づいて、モータの回転量（「２回転」）が属する回転量の所定の範囲「１．６回転から３．０回転」１２１５を参照し、その「１．６回転から３．０回転」１２１５に対応する原稿枚数「６枚」１２１６を取得する（図１１：Ｓ２０３）。
【０１２４】
原稿向き表示手段は「縦向き」８０７と「Ａ４」８１３と「６枚」１２１６とを受信すると、枚数−画面表示テーブルを参照し、「縦向き」８０７から再載置催促画面を表示する必要があると判別する（図１１：Ｓ２０４ＹＥＳ）。
【０１２５】
さらに、原稿向き表示手段６０３が、「Ａ４」８１３に対応する原稿枚数の所定の範囲１２０８（「１枚〜１０枚」１２１２と「１１枚〜」１２１３）を参照する。「６枚」１２１６は「１枚〜１０枚」１２１２に属するから、原稿向き表示手段６０３が「６枚」１２１６を所定の枚数「１１枚」よりも少ないと判別し、「１枚〜１０枚」１２１２に関連付けられた「無し」１２１７を枚数−画面表示テーブル１２０５から取得する（図１１：Ｓ２０５ＮＯ）。
【０１２６】
原稿向き表示手段６０３が「無し」１２１７を取得すると、再載置催促画面を表示する必要はないと判別し、条件受付手段６０５に初期画面を表示する旨の信号を送信する。条件受付手段６０５は、タッチパネル４０１上に初期画面を表示し、ユーザからの条件の入力を受け付ける。
【０１２７】
後に続く条件受付手段６０５、画像読取手段６０６、機能提供手段６０７の作動手順は、第一の実施形態と同様であるため、省略する。載置された原稿の向きは縦向きであるものの、再載置催促画面の表示を省略しているため、ユーザに円滑に条件を入力させることが可能となる。また、再載置催促画面を表示させなかった条件は、原稿の向きが、画像読取から画像出力までに要する処理時間に対して影響を及ぼす範囲ではないため、処理時間が長期化し、画像形成に関する業務等が停滞することもない。
【０１２８】
なお、原稿向き検知手段６０１が原稿の向きを横向きと検知した場合は（図１１：Ｓ２０２→Ｓ２０３）、原稿向き表示手段６０３が再載置催促画面を表示する必要が無いと判別する（図１１：Ｓ２０４ＮＯ）。その後、条件受付手段６０５が初期画面を表示してから、機能提供手段６０７が画像データを出力するまでの作動手順が続くが、それは第一の実施形態と同様であるため、省略する。
【０１２９】
このように、原稿を搬送する前に、載置台に載置された原稿の枚数を検知する原稿枚数検知手段を備え、上記原稿向き表示手段が、原稿の向きが縦向きで、原稿の枚数が所定の枚数よりも多い場合に、再載置催促画面を表示するよう構成している。
【０１３０】
これにより、原稿の向きが縦向きの場合、載置させた原稿の枚数が最も影響を及ぼす所定の枚数を超過した場合に、再載置催促画面を表示することとなる。そのため、再載置催促画面を効果的に表示させ、画像読取から画像出力までに要する処理時間の短縮化を図ることが可能となるとともに、原稿の枚数が少ない場合は、再載置催促画面の表示を省略するため、ユーザに原稿の向きを変更するという煩わしい作業を強要せずに、ユーザに円滑に条件の入力等を行わせることが可能となる。その結果、再載置催促画面を適切に表示させることが可能となる。
【０１３１】
さらに、原稿を搬送する前に、載置台に載置された原稿のサイズを検知する原稿サイズ検知手段を備え、上記原稿向き表示手段が、原稿の向きが縦向きで、原稿の枚数が原稿のサイズに応じた所定の枚数よりも多い場合に、再載置催促画面を表示するよう構成している。
【０１３２】
これにより、原稿のサイズと原稿の枚数に応じて処理時間の長短が異なる実態に、画像形成装置を機動的に対応させ、再載置催促画面を適切な場面で表示させることが可能となる。そのため、載置させる原稿のサイズが異なっていても、再載置催促画面を効果的に表示させることが可能となるとともに、原稿の枚数が少ない場合は、再載置催促画面の表示を省略し、ユーザに業務遂行を円滑に行わせることが可能となる。
【０１３３】
なお、第一の実施形態乃至第二の実施形態では、ユーザが原稿を載置台に載置させた際に、原稿向き表示手段が再載置催促画面を表示するよう構成したが、例えば、スタートキーが押下された時点、原稿が載置されてから所定時間経過した時点等、原稿を搬送する前の時点であれば、どのような時点であっても、本発明の作用効果を奏する。
【０１３４】
また、第一の実施形態乃至第二の実施形態では、載置台に備えられた第一の規制板を固定とし、第二の規制板を可動として構成したが、他の構成、例えば、第一の規制板を可動とし、第二の規制板を固定とする、または、第一の規定板、第二の規制板、いずれも可動とする等の設計変更を行っても構わない。
【０１３５】
また、第一の実施形態乃至第二の実施形態では、原稿向き検知手段が原稿存在検知センサのＯＮ信号の組み合わせに基づいて原稿の向きを検知するよう構成したが、載置台の原稿の向きを検知できるのであれば他の方法を採用しても構わない。原稿サイズ検知手段も原稿存在検知センサのＯＮ信号の組み合わせに基づいて原稿のサイズを検知するよう構成したが、上記と同様、適宜設計変更を行っても構わない。
【０１３６】
また、第一の実施形態乃至第二の実施形態では、上記原稿向き表示手段が再載置催促画面を表示するとともに、原稿向き音発生手段が所定の音声メッセージを発生するよう構成したが、例えば、ユーザの操作や管理者権限で操作できるメニュー画面等を介して、再載置催促画面の表示を省略し、当該原稿向き表示手段による再載置催促画面の表示に代えて、当該原稿向き音発生手段が所定の音声メッセージを発生するよう構成しても構わない。
【０１３７】
上記構成とすると、再載置催促画面の表示によってユーザの条件入力を阻害することなく、ユーザに再載置の必要性を知らせることが可能となる。
【０１３８】
また、第二の実施形態では、原稿向き表示手段が、原稿の向きが縦向きで、原稿の枚数が原稿のサイズに応じた所定の枚数よりも多い場合に、同一の再載置催促画面を表示するよう構成したが、例えば、原稿のサイズに応じた再載置催促画面を作成しておき、原稿のサイズに対応して種々の再載置催促画面を表示するよう構成しても構わない。
【０１３９】
また、第二の実施形態では、原稿枚数検知手段は、モータの回転量と原稿枚数テーブルとに基づいて原稿枚数を検知するよう構成したが、他の方法、例えば、載置された原稿に光を照射し、その透過光の強度から原稿の枚数を検知したり、逆に反射光の強度から原稿の枚数を検知するよう構成しても構わない。
【０１４０】
また、第二の実施形態では、原稿向き表示手段は、取得した原稿枚数と枚数−画面表示テーブルに基づいて原稿枚数が所定の枚数を超過するか否かを判別するよう構成したが、例えば、原稿向き表示手段が原稿枚数を受信する毎に、取得した原稿枚数と、予め記憶させておいた所定の枚数とを比較して、原稿枚数が所定の枚数を超過するか否かを判別するよう構成しても構わない。
【０１４１】
また、第一の実施形態乃至第二の実施形態では、複合機が各手段を備えるよう構成したが、当該各手段を実現するプログラムを記憶媒体に記憶させ、当該記憶媒体を提供するよう構成しても構わない。上記構成では、上記プログラムを複合機に読み出させ、その複合機が上記各手段を実現する。その場合、上記記録媒体から読み出されたプログラム自体が本発明の作用効果を奏する。さらに、各手段が実行するステップをハードディスクに記憶させる記憶方法として提供することも可能である。
【０１４２】
また、第一の実施形態乃至第二の実施形態では、コピー機能との処理に関して採用したが、例えば、スキャン機能、ファクシミリ送受信機能、プリント機能、ネットワークスキャン機能、後処理機能、メモリ機能等の処理にでも採用できる。
【産業上の利用可能性】
【０１４３】
以上のように、本発明にかかる画像形成装置は、複写機、プリンタ、複合機等に有用であり、載置された原稿の向きが縦向きの場合に、原稿の向きを横向きに再載置することを促す画面を表示することが可能な画像形成装置として有効である。
【図面の簡単な説明】
【０１４４】
【図１】本発明の実施形態に係る複合機内部の全体構成を示す概念図である。
【図２】本発明の実施形態に係る自動原稿給送装置の載置台を示す概念図である。
【図３】本発明の実施形態に係る自動原稿給送装置を示す概念図である。
【図４】本発明の実施形態に係るタッチパネル上に表示された画面の一例を示す図である。
【図５】本発明の実施形態に係る発明の制御系ハードウェアの構成を示す図である。
【図６】第一の実施形態における複合機の機能ブロック図である。
【図７】第一の実施形態の実行手順を示すためのフローチャートである。
【図８】第一の実施形態に係る原稿向きテーブルと画面表示テーブルの一例を示す図である。
【図９】第一の実施形態のタッチパネル上に表示された画面の一例を示す図である。
【図１０】第二の実施形態における複合機の機能ブロック図である。
【図１１】第二の実施形態の実行手順を示すためのフローチャートである。
【図１２】第二の実施形態に係る原稿枚数テーブルと枚数−画面表示テーブルの一例を示す図である。
【符号の説明】
【０１４５】
１００  複合機
１０４  自動原稿給送装置
６０１  原稿向き検知手段
６０２  原稿向き記憶手段
６０３  原稿向き表示手段（原稿向き音発生手段）
６０４  再載置催促記憶手段
６０５  条件受付手段
６０６  画像読取手段
６０７  機能提供手段
１００１  リフト板移動手段
１００２  原稿枚数検知手段
１００３  原稿枚数記憶手段
【図１】
2010013251.tif 000003
【図２】
2010013251.tif 000004
【図３】
2010013251.tif 000005
【図４】
2010013251.tif 000006
【図５】
2010013251.tif 000007
【図６】
2010013251.tif 000008
【図７】
2010013251.tif 000009
【図８】
2010013251.tif 000010
【図９】
2010013251.tif 000011
【図１０】
2010013251.tif 000012
【図１１】
2010013251.tif 000013
【図１２】
2010013251.tif 000014